(57)【要約】【課題】箱の機能を損なうことなく、使用後にも再利用可能な包装用箱を提供する。【解決手段】箱本体１０は、四つの側部の上端部に形成されたスリット状の開口部を有し、上方が開放されている。内装部２０は、四つの側面と、底面と、箱本体１０の開口部が形成された側部に対応する各側面の先端に外側に折り曲げて形成された凸状の差込部とを有し、箱本体１０の内側に配置して差込部を開口部に差し込むことにより箱本体１０の内側に装着される。装飾部３０は、内装部２０の内側における底面及び側面に印刷又は描画された、写真、絵、線図、文字又は記号のうち少なくとも一つからなる。装飾部３０が見どころとなるように内装部２０が装着された箱本体１０を室内に飾ることにより、包装に用いた包装用箱１を室内装飾品として使用することができる。【選択図】図１
0003235265.tif 000002
【実用新案登録請求の範囲】
【請求項１】
四つの側部のうち少なくとも二つの側部の上端部に形成されたスリット部を有し、上方が開放されている箱本体と、
前記箱本体の前記スリット部が形成された側部に対応する少なくとも二つの側面と、前記箱本体の底部に対応する底面と、前記各側面の先端に形成された凸状の差込部とを有し、前記箱本体の内側に配置して前記差込部を前記スリット部に差し込むことにより前記箱本体の内側に装着される内装部と、
前記内装部の内側における底面及び側面のうち少なくとも一つの面に印刷又は描画された、写真、絵、線図、文字又は記号のうち少なくとも一つからなる装飾部と、
を具備し、
前記箱本体に包装した商品を取り出した後に前記装飾部が見どころとなるように前記内装部が装着された前記箱本体を所望の場所に配置して室内装飾品として利用することを特徴とする包装用箱。
【請求項２】
前記箱本体の側部は内側に巻き込むようにして二重に形成されており、前記スリット部は二重に形成された側部の内側に位置する部位に形成されていることを特徴とする請求項１記載の包装用箱。
【考案の詳細な説明】
【技術分野】
【０００１】
本考案は、例えば商品の輸送時にその商品を包装するために用いられる包装用箱に関するものである。
【背景技術】
【０００２】
包装用箱は、例えば商品を輸送する時にその商品を包装することにより、その商品が破損したりするのを防ぐためのものである。従来、包装用箱は、一度使用したものは破棄する、所謂使い捨て商品であった。このため、これまでは包装用箱を再利用したりすることは殆ど行われていなかった。
【０００３】
また、ダイナミックな装飾を施した包装箱も案出されている。このような包装箱としては、例えば、包装箱の少なくとも一つの面が装飾面を構成し、その装飾面が収納部の一部を構成する収納領域と、収納部よりもはみ出した装飾領域とを備えている包装箱がある（特許文献１参照。）。
【先行技術文献】
【特許文献】
【０００４】
【特許文献１】特開２０１８−１２２８６１号公報
【考案の概要】
【考案が解決しようとする課題】
【０００５】
近年、オンラインショッピング利用者の増加等に伴い、包装用箱の消費量も増加している。このような状況下、使い捨てではなく、梱包されていた中身が取り出された後にも再利用できる包装用箱が望まれている。
【０００６】
尚、上記特許文献１に示すような包装箱は、収納部よりもはみ出した装飾領域を有しているので、そのはみ出した装飾領域が再利用の際に邪魔になる可能性がある。
【０００７】
本考案は上記事情に基づいてなされたものであり、箱の機能を損なうことなく、使用後にも再利用可能な包装用箱を提供することを目的とするものである。
【課題を解決するための手段】
【０００８】
上記の目的を達成するための本考案に係る包装用箱は、（１）四つの側部のうち少なくとも二つの側部の上端部に形成されたスリット部を有し、上方が開放されている箱本体と、（２）箱本体のスリット部が形成された側部に対応する少なくとも二つの側面と、箱本体の底部に対応する底面と、各側面の先端に形成された凸状の差込部とを有し、箱本体の内側に配置して差込部をスリット部に差し込むことにより箱本体の内側に装着される内装部と、（３）内装部の内側における底面及び側面のうち少なくとも一つの面に印刷又は描画された、写真、絵、線図、文字又は記号のうち少なくとも一つからなる装飾部と、を具備し、箱本体に包装した商品を取り出した後に装飾部が見どころとなるように内装部が装着された箱本体を所望の場所に配置して室内装飾品として利用することを特徴とするものである。
【０００９】
これにより、本考案に係る包装用箱では、箱本体から商品を取り出した後に装飾部が見どころとなるように内装部が装着された箱本体を所望の場所に配置して室内装飾品として利用することができるので、包装用箱を有効に再利用することができる。
【００１０】
また、本考案に係る包装用箱では、箱本体の側部は内側に巻き込むようにして二重に形成されており、スリット部は二重に形成された側部の内側に位置する部位に形成されていることが望ましい。これにより、内装部の差込部をスリット部に差し込んだときに、差込部の先端が外部に突出することがなくなるだけでなく、内装部を箱本体に装着したときでも箱本体の強度を維持しつつ、包装用箱を室内装飾品として利用することができる。
【考案の効果】
【００１１】
本考案の包装用箱では、写真、絵、線図、文字又は記号のうち少なくとも一つからなる装飾部が内装部の内側に印刷又は描画されていることにより、包装された商品を取り出した後に装飾部が見どころとなるように包装用箱を所望の場所に配置して室内装飾品として利用することができるので、包装用箱を有効に再利用することができる。
【図面の簡単な説明】
【００１２】
【図１】図１は本考案の一実施形態である包装用箱の概略斜視図である。
【図２】図２は本実施形態の包装用箱の箱本体の概略斜視図である。
【図３】図３は本実施形態の包装用箱の箱本体の概略展開図である。
【図４】図４は本実施形態の包装用箱の箱本体の図２におけるＡ−Ａ’矢視方向概略拡大断面図である。
【図５】図５は本実施形態の包装用箱の内装部の概略展開図である。
【考案を実施するための形態】
【００１３】
以下に、図面を参照して、本願に係る考案を実施するための形態について説明する。図１は本考案の一実施形態である包装用箱の概略斜視図であり、図２はその包装用箱の箱本体の概略斜視図、図３は本実施形態の包装用箱の箱本体の概略展開図、図４は本実施形態の包装用箱の箱本体の図２におけるＡ−Ａ’矢視方向概略拡大断面図、図５は本実施形態の包装用箱の内装部の概略展開図である。
【００１４】
本考案の包装用箱は、果物、洋菓子、缶詰等の各種の商品（物品）を包装するためのものである。この包装用箱は紙製のものであるが、その紙の素材としては、包装する内容物に応じて適切な素材が選ばれる。例えば、段ボール、また軽量であって壊れるおそれのない商品を包装する場合には、カード紙やコートボール紙等が用いられる。
【００１５】
本実施形態の包装用箱１は、図１から図５に示すように、箱本体１０と、箱本体１０の内側に装着される内装部２０と、内装部２０に印刷又は描画されている装飾部３０とを備えている。以下の本実施形態の包装用箱では、箱本体１０の素材が段ボール、内装部２０の素材が白いコートボール紙である場合について説明する。本実施形態の包装用箱１は、商品を包装するためのものであり、その上方が開放されている。具体的に、箱本体１０は全体として六面体の形状をしており、その六つの面のうち一つの面が開放されている。なお、本実施形態の包装用箱１は、蓋部を備えていないが、包装用箱の少なくとも上方を覆う蓋部を有するものであってもよい。
【００１６】
本実施形態の包装用箱１は、包装する商品を取り出した後に室内装飾品として再利用することができるように構成されている。すなわち、図１及び図５に示すように、箱本体１０の内側に装着される内装部２０の内側には装飾部３０が印刷又は描画されている。装飾部３０は、写真、絵、線図、文字又は記号のうち少なくとも一つからなる。例えば、装飾部３０としては、図１及び図５に示すように、内装部２０の内側における底面及び四つの側面に印刷されたキャラクター及び林の風景等が用いられる。一般に、装飾部３０は、内装部２０の内側における底面及び四つの側面のうち少なくとも一つの面に印刷又は描画されていればよい。これにより、装飾部３０が見どころとなるように包装用箱１を室内に飾り、室内装飾品として使用することができる。
【００１７】
箱本体１０は、一般的な形状の箱であり、底部と、四つの側部とを有する。この箱本体１０の展開図は図３に示される。図３において点線を谷折りすることにより、箱本体１０は、側部が内側に巻き込まれるようにして二重となり、図２に示すように簡単に組み立てることができる。また、本実施形態の箱本体１０は、図２、図３及び図４に示すように、組み立てた状態では、各側部の上端部に形成される庇状の出っ張り部１１と、出っ張り部１１の下に形成されたスリット状の開口部（スリット部）１２とを有する。すなわち、箱本体１０の各側部の上端部には、二つの出っ張り部１１と開口部１２とが形成されている。出っ張り部１１は、側部を内側に巻き込むように二重に折り曲げるときに、図２に示すように、側部に対して起立した状態となる。更に、出っ張り部１１が起立することにより、図４に示すように、スリット状の開口部１２が形成される。すなわち、開口部１２は、図３に示す折り曲げる前の状態では単なる切れ目であるが、図２及び図４に示す折り曲げた後の状態では小さな開口部となる。本実施形態の包装用箱１の箱本体１０では、二重に形成された側部の内側に位置する部位にだけ開口部１２を形成することにより、箱本体１０に必要な強度を維持して開口部１２を形成することができる。
【００１８】
本実施形態の内装部２０の展開図は図５に示される。この内装部２０は、図５に示すように、底面２１と、四つの側面２２と、側面２２の先端（上端）に形成された差込部２３とを有する。底面２１は、箱本体１０の底部に対応しており、その底部と略同じ大きさ・形状を有する。そして、側面２２は、箱本体１０の側部に対応しており、その側部と略同じ大きさ・形状を有する。内装部２０の各側面２２には、二つの差込部２３が設けられている。内装部２０は、図５において点線を谷折りすることにより、容易に形成することができる。この組み立てられた内装部２０は、箱本体１０の内側に配置され、差込部２３を外側に折り曲げて箱本体１０の開口部１２に差し込むことにより、箱本体１０の内側に装着される。このとき、差込部２３の先端が外部に突出することはない。また、装飾部３０は、図５に示すように、組み立てたときの内装部２０の内側における底面及び四つの側面に対応する部位に印刷等されている。
【００１９】
次に、本実施形態の包装用箱１の組立方法について説明する。まず、図３に示す展開された状態の箱本体１０の各側部の先端部を内側に巻き込むようにして二重に形成し、図２に示す箱本体１０を組み立てる。一方、内装部２０に対しては、図５に示す展開された状態のものの各側面２２を底面２１に対して直角となるように折り曲げて略箱状とし、さらに差込部２３を外側に折り曲げる。これにより内装部２０を極めて簡単に組み立てることができる。次に、組み立てた状態の箱本体１０の内側に内装部２０を配置し、内装部２０の差込部２３を箱本体１０のスリット状の開口部１２に差し込んで箱本体１０に内装部２０を装着することにより、包装用箱１を組み立てることができる。この状態の包装用箱１に商品を詰めて包装する。なお、必要に応じて、包装用箱１の上部の開放している部分をラップで覆ったり、蓋部を被せたりしてもよい。
【００２０】
次に、本実施形態の包装用箱を室内装飾品として再利用する手順を説明する。使用者は、必要に応じて、ラップ或いは蓋を取り外した後、包装用箱１から商品を取り出す。次に、使用者は、内装部２０の内側における側面及び底面に印刷等された装飾部３０が見どころとなるように、本実施形態の包装用箱１を室内の所望の場所に配置する。これにより、図１に示すように、包装用箱１を室内装飾品として利用することができる。また、室内装飾品としての包装用箱１は、そもそも箱であるので、その内部に小物等を配置して飾ることも可能である。尚、使用者が、装飾部３０の内容が異なる包装用箱１を複数持っている場合には、それらの包装用箱１を重ねて飾るようにすることもできる。
【００２１】
本実施形態の包装用箱では、写真、絵、線図、文字又は記号のうち少なくとも一つからなる装飾部が内装部の内側に印刷又は描画されている。このため、例えば、装飾部が見どころとなるように包装用箱を室内の所望の箇所に配置することにより、包装用箱を室内装飾品として再利用することができるので、包装用箱を有効に再利用することができる。また、本実施形態の包装用箱では、内装部を他の絵等の装飾部が印刷されている内装部に簡単に交換することができるので、包装用箱の再利用の価値を高めることができる。
【００２２】
尚、本考案は上記の実施形態に限定されるものではなく、その要旨の範囲内において種々の変形が可能である。
【００２３】
上記の実施形態では、内装部２０を箱本体１０に装着して商品を包装する場合について説明したが、内装部２０は付属品とし、すなわち内装部２０を包装には直接的に使用せず、商品は箱本体１０に入れて包装し、使用者が箱本体１０に包装された商品を取り出した後に、使用者が内装部２０を箱本体１０に装着するようにしてもよい。この場合の内装部２０は、例えば、箱本体１０の底面に折り畳んだ状態で入れておくようにしてもよい。
【００２４】
また、上記の実施形態では、一つの箱本体１０に対して一つの内装部２０を有する場合について説明したが、更に別個、内装部を付属させるようにしてもよいし、また、一つの箱本体１０に対して複数の内装部２０を付属させるようにしてもよい。
【００２５】
また、上記の実施形態では、スリット状の開口部１２は二重に折り曲げて形成された箱本体１０の側部の内側に位置する部位にだけ形成した場合について説明したが、この開口部１２はその内側の部位だけでなく、箱本体１０の側部の外側に位置する部位に形成してもよい。また、上記の実施形態では、箱本体１０の側部は内側に巻き込むようにして二重に形成されている場合について説明したが、箱本体１０の側部は一重であってもよい。また、上記の実施形態では、庇状の出っ張り部１１を設ける場合について説明したが、この出っ張り部１１は省略してもよい。例えば、箱本体１０には、出っ張り部１１を設けず、単なる切れ目をスリット状の開口部（スリット部）１２として形成してもよい。
【００２６】
また、上記の実施形態では、包装用箱における内装部の底面と各側面に装飾部を設けた場合について説明したが、本発明の包装用箱は必ずしも内装部の内面全体に装飾部を備えていなくてもよい。例えば、装飾部は内装部の底面だけ、或いは一つの側面のみに設けるようにしてもよい。更に、上記の実施形態では、内装部が四つの側面を有する場合について説明したが、内装部は少なくとも二つの側面を有すればよい。
【００２７】
また、上記の実施形態では、包装用箱における箱本体の四つの各側部の上端部に二つの出っ張り部と開口部を形成し、内装部の四つの各側面に二つの差込部を設ける場合について説明したが、箱本体の出っ張り部と開口部は各側部に一つ又は三つ以上設け、内装部の差込部は各側面に一つ又は三つ以上設けるようにしてもよい。また、上記の本実施形態では、箱本体の出っ張り部と開口部が及び内装部の差込部がそれぞれ、全ての側部及び側面に形成されている場合について説明したが、箱本体の出っ張り部と開口部及び内装部の差込部はそれぞれ、少なくとも二つの側部及び側面に形成されていればよい。
【００２８】
更に、上記の実施形態では、包装用箱が段ボール製やコートボール紙である場合について説明したが、包装用箱は、段ボール製やコートボール紙のものだけでなく、他の紙製のもの、樹脂製のもの、或いは金属製のものであってもよい。
【産業上の利用可能性】
【００２９】
以上説明したように、本考案に係る包装用箱では、写真、絵、線図、文字又は記号のうち少なくとも一つからなる装飾部が内装部の内側に印刷又は描画されていることにより、包装した商品を取り出した後に装飾部が見どころとなるように包装用箱を所望の場所に配置して室内装飾品として利用することができるので、包装用箱を有効に再利用することができる。したがって、本考案は、例えば果物、洋菓子、缶詰等の各種の商品を包装するための包装用箱に用いることができる。
【符号の説明】
【００３０】
１  包装用箱
１０  箱本体
１１  出っ張り部
１２  開口部（スリット部）
２０  内装部
２１  底面
２２  側面
２３  差込部
３０  装飾部
【図１】
0003235265.tif 000003
【図２】
0003235265.tif 000004
【図３】
0003235265.tif 000005
【図４】
0003235265.tif 000006
【図５】
0003235265.tif 000007